(57)【特許請求の範囲】
【請求項１】
バストを覆うためのカップ部と、前記カップ部の下辺部脇側を横に引く力を生じさせ、前記カップ部を安定させるバック部とを有する衣類において、
バストの造形性を補助するための第１の造形補助部であって、前記カップ部の下辺部脇側端部から、バストトップと前記カップ部の下辺との間を通り、前記カップ部の下辺部前中心側を通って前記カップ部の前中心側に向けて延在する帯状の当該第１の造形補助部と、
バストの造形性を補助するための第２の造形補助部であって、前記カップ部の上辺部に沿って下辺部前中心側端部から下辺部脇側端部又は脇辺部まで延在する帯状の当該第２の造形補助部と、を備え、
前記第１の造形補助部では、脇側端部が前記カップ部の下辺部脇側端部に結合され、前中心側端部が前記カップ部の前中心側に結合されており、
前記第２の造形補助部は、前記カップ部の下辺部前中心側端部から下辺部脇側端部又は脇辺部にわたって結合されており、
前記第１の造形補助部の全体は、前記カップ部の下辺部前中心側において、前記カップ部の下辺部前中心側端部からバージス最下点までの１／２の位置と下辺部前中心側端部との間の部分を通っている、カップ部を有する衣類。
【請求項２】
左右の前記第１の造形補助部の前中心側は連結している、請求項１に記載のカップ部を有する衣類。
【請求項３】
前記第１の造形補助部は、前記カップ部の下辺部脇側端部から前中心側にわたって結合されている、請求項１に記載のカップ部を有する衣類。
【請求項４】
左右の前記第１の造形補助部の前中心側を連結する帯状の連結部材を更に備える、請求項１〜３の何れか１項に記載のカップ部を有する衣類。
【請求項５】
前記第１の造形補助部の幅は、前記第２の造形補助部の幅よりも広い、請求項１〜４の何れか１項に記載のカップ部を有する衣類。
【請求項６】
前記第１の造形補助部の全体は、バストトップから前記バージス最下点までの間において、前記バージス最下点から１／４〜３／４までの位置を通っている、請求項１〜５の何れか１項に記載のカップ部を有する衣類。
【請求項７】
肩紐部を有しない、請求項１〜６の何れか１項に記載のカップ部を有する衣類。
【発明の詳細な説明】
【技術分野】
【０００１】
本発明は、バストを覆うためのカップ部を有する衣類に関するものである。
【背景技術】
【０００２】
特許文献１及び２には、バストを覆うためのカップ部を有する衣類として、ブラジャーが開示されている。これらのブラジャーは、カップ部に対して帯状部材（造形補助部）を備えている。特許文献１に開示のブラジャーは、バストに対する圧迫感を抑制するために、カップ部の下辺におけるワイヤに代えて帯状部材（テープ）を用いている。この帯状部材は、一方のカップ部の下辺に沿って他方のカップ部方向に延び、他方のカップ部の上辺に沿って肩紐まで延びている。また、特許文献２に開示のブラジャーは、カップ部の上辺部に帯状部材（上辺布）を重ね合わせ、カップ部の脇側部に帯状部材（脇布）を重ね合わせている。これらの帯状部材は、肩紐から延びている。
【先行技術文献】
【特許文献】
【０００３】
【特許文献１】特開平０９−１１９００４号公報
【特許文献２】実開昭６２−２０３２０９号公報
【発明の概要】
【発明が解決しようとする課題】
【０００４】
ところで、ブラジャーによってバストのボリュームを上方へ持ち上げる際、バストのボリュームがうまく持ち上がらずに、カップ部の上辺部がバストに対して浮いてしまうことがある。特に、年齢を重ねるに従って柔らかくなり、下垂したバストは、上胸にボリュームを移動しにくく、カップ部の上辺部がバストに対して浮きやすい。
【０００５】
この点に関し、特許文献１及び２に開示のブラジャーのように、肩紐による上に引く力を積極的に利用するが考えられるが、その場合、肩に負担がかかってしまう。また、カップ部の上辺部が着用者にくい込んでしまうことがある。更には、ストラップ部の付け根が引っ張られて、カップ部の上辺部が歪んでしまい（ラインが変形してしまい）、バストに沿わなくなってしまう。逆に、肩に負担がかからないように、ストラップ部をゆるくすると、カップ部の上辺部がバストに対して浮いてしまう。
【０００６】
特に、１／２カップタイプのブラジャーのようにカップ部の面積が小さいブラジャーでは、フルカップタイプのブラジャーと比較して肩紐付け根近傍の布地が少なく、肩紐によってカップ部の上辺部を上に引く力が弱い。更には、ストラップレスタイプのブラジャーでは、カップ部の上辺部を上に引く力がない。そのため、１／２カップタイプやストラップレスタイプのブラジャーでは、バック部によってカップ部の下辺部脇側を横に引く力を利用して、カップ部を安定させることとなる。
【０００７】
この種の１／２カップタイプやストラップレスタイプのブラジャーでは、カップ部の上辺部を上に引く力が弱い又はないので、着用者の動作に伴い、カップ部の上辺部がバストから浮いてしまうことがある。この点に関し、バック部によるカップ部の下辺部脇側を横に引く力を強くすることが考えられるが、その場合、着用者に強い締め付け感を与えてしまう。また、ストラップ部によるカップ部の上辺部を上に引く力を強くすることも考えられるが、その場合、カップ部の上辺部が着用者にくい込んでしまい、バストシルエットがくずれてしまう。
【０００８】
そこで、本発明は、楽な着用感を損なうことなく、バストに対するカップ部の上辺部の浮きを抑制することが可能なカップ部を有する衣類を提供することを目的とする。
【課題を解決するための手段】
【０００９】
本発明のカップ部を有する衣類は、バストを覆うためのカップ部と、カップ部の下辺部脇側を横に引く力を生じさせ、カップ部を安定させるバック部とを有する衣類において、バストの造形性を補助するための第１の造形補助部であって、カップ部の下辺部脇側、上辺部脇側又は脇辺部から、バストトップとカップ部の下辺との間を通り、カップ部の前中心側に向けて延在する第１の造形補助部と、バストの造形性を補助するための第２の造形補助部であって、カップ部の上辺部に沿って下辺部前中心側端部から下辺部脇側端部又は脇辺部まで延在する第２の造形補助部と、を備える。
【００１０】
このカップ部を有する衣類によれば、第２の造形補助部がカップ部の上辺部に沿って下辺部前中心側端部から下辺部脇側端部又は脇辺部まで延在するので、バック部によるカップ部の下辺部脇側を横に引く力を強くせずとも、通常のバック部によるカップ部の下辺部脇側を横に引く力を利用して、第２の造形補助部によってカップ部の上辺部をバスト側に沿わせることができる。
【００１１】
例えば、第２の造形補助部がないブラジャーでは、着用したときに、カップ部の上辺部が脇側に歪んでしまい、バストに沿わないことがある。その場合、カップ部の上辺部がバストにフィットしていないため、着用者の動きに起因して更に着崩れが生じてしまう。この点に関し、上記したように、バック部によるカップ部の下辺部脇側を横に引く力を強くすることが考えられるが、その場合、着用者に強い締め付け感を与えてしまう。これに対し、このカップ部を有する衣類によれば、第２の造形補助部によって、カップ部の上辺部の形状を保つことができる。そのため、バック部によってカップ部の下辺部脇側を横に引いても、カップ部の上辺部が変形したり、つぶれてバストにくい込んだりすることなく、きれいなカーブを保ったままカップ部の上辺部をバストに沿わせることができる。
【００１２】
したがって、楽な着用感を損なうことなく、バストに対するカップ部の上辺部の浮きを抑制することができ、更に、着用者の動きに起因して生じるカップ部の上辺部の浮きをも抑制することができる。
【００１３】
また、このカップ部を有する衣類によれば、主に、バック部によるカップ部の下辺部脇側を横に引く力を利用して、第１の造形補助部によってバストの寄せ効果や押し上げ効果を高めることができ、バストの造形性を高めることができる。
【００１４】
このように、第１の造形補助部によってバストを上に持ち上げ、第２の造形補助部によってカップ部の上辺部をバストに沿わせることにより、着用者の動きに影響されることなく、第１及び第２の造形補助部によって囲まれた部分の立体形状を保つことができる。
【００１５】
上記した第１の造形補助部は、前中心において連結していることが好ましい。この構成によれば、左右のバスト同士（カップ同士）が離れる（開く）のを抑制することができ、バストの寄せ効果や押し上げ効果をより高めることができ、バストの造形性をより高めることができる。
【００１６】
上記した第１の造形補助部では、脇側端部がカップ部の下辺部脇側、上辺部脇側又は脇辺部に結合され、前中心側端部がカップ部の前中心側に結合されており、上記した第２の造形補助部は、カップ部の下辺部前中心側端部から下辺部脇側端部又は脇辺部にわたって結合されていてもよい。この構成によれば、第１の造形補助部がカップ部の動きにひきつられることなく、また、第１の造形補助部の位置がずれることもない。また、第２の造形補助部が安定し、カップ部の上辺部を更にしっかりさせることができる。
【００１７】
また、上記した第１の造形補助部は、カップ部の下辺部脇側、上辺部脇側又は脇辺部から前中心側にわたって結合されていてもよい。この構成によれば、第１の造形補助部が安定し、カップ部の下部を更にしっかりさせることができる。その結果、バストの造形性を高めることができる。
【００１８】
また、上記したカップ部を有する衣類は、左右の第１の造形補助部の前中心側を連結する帯状の連結部材を更に備えることが好ましい。この構成によれば、連結部材によって、カップ部が左右に開いてしまうことを抑制することができ、第１の造形補助部によるバストの寄せ効果や押し上げ効果をより高めることができ、バストの造形性をより高めることができる。
【００１９】
また、上記した第１の造形補助部の脇側端部はカップ部の下辺部脇側、上辺部脇側又は脇辺部に結合され、その他の部分は前記カップ部に対して遊離しており、上記した左右の第１の造形補助部の前中心側端部は連結されていることが好ましい。この構成によれば、第１の造形補助部の脇側端部以外の部分がカップ部に対して遊離しているので、カップ部の動きに影響されることなく、バストの寄せ効果や押し上げ効果をより高めることができる。また、左右の第１の造形補助部の前中心側端部が連結されているので、カップ部が左右に開いてしまうことを抑制することができる。その結果、バストの造形性をより高めることができる。
【００２０】
また、上記したカップ部を有する衣類は、前中心に設けられた環状の固定部を更に備え、上記した第１の造形補助部の前中心側端部は、固定部の孔に挿通されていることが好ましい。この構成によれば、上記したように第１の造形補助部の脇側端部以外の部分がカップ部に対して遊離しており、前中心側端部が固定部の孔に挿通されてフレキシブルに固定されるので、第１の造形補助部の前中心側端部は左右カップ間をフレキシブルに移動することができる。したがって、第１の造形補助部の前中心側端部の位置を安定させつつ、例えば第１の造形補助部の前中心側端部を単に前中心に固定する場合と比較して、着用者の動きに起因して動くバストに対するカップ部の追従性を高めることができる。
【００２１】
また、上記した第１の造形補助部の幅は、第２の造形補助部の幅よりも広いことが好ましい。この構成によれば、第１の造形補助部によるバストの造形性をより強くすることができる。
【発明の効果】
【００２２】
本発明によれば、カップ部を有する衣類において、楽な着用感を損なうことなく、バストに対するカップ部の上辺部の浮きを抑制することができる。
【図面の簡単な説明】
【００２３】
【図１】本発明の第１の実施形態に係るブラジャーを示す斜視図である。
【図２】第２の帯状部材の配置位置の種々の例を示す図である。
【図３】第１の実施形態のブラジャーにおいて肩紐部を取り外した状態を示す図である。
【図４】本発明の変形例に係る第１の帯状部材を示す斜視図である。
【図５】本発明の第２の実施形態に係るブラジャーを示す斜視図である。
【図６】本発明の第３の実施形態に係るブラジャーを示す斜視図である。
【図７】本発明の第４の実施形態に係るブラジャーを示す斜視図である。
【図８】本発明の第５の実施形態に係るブラジャーを示す斜視図である。
【図９】本発明の変形例に係るブラジャーを示す斜視図である。
【図１０】本発明の変形例に係るブラジャーを示す斜視図である。
【図１１】本発明の変形例に係るカップ部と第１及び第２の帯状部材とを示す断面図である。
【発明を実施するための形態】
【００２４】
以下、図面を参照して本発明のカップ部を有する衣類の好適な実施形態について詳細に説明する。なお、各図面において同一又は相当の部分に対しては同一の符号を附すこととする。
［第１の実施形態］
【００２５】
図１は、本発明の第１の実施形態に係るブラジャーを示す斜視図である。このブラジャー１は、本体部１０と、第１の帯状部材（第１の造形補助部）２０と、第２の帯状部材（第２の造形補助部）３０と、連結部材４０とを備えている。なお、ブラジャー１は左右略対称であるので、以下では左右の一方のみによって説明する。
【００２６】
本体部１０は、カップ部１２と、土台部１４と、バック部１６と、肩紐部１８とを有している。
【００２７】
カップ部１２は、バストを覆うためのものであり、土台部１４に支持されている。土台部１４は、非伸縮性の布からなっており、カップ部１２の下辺部と縫着されている。土台部１４の脇辺部には、バック部１６が縫着されている。なお、土台部１４は必ずしも備えなくてもよい。その場合、バック部１６は、カップ部１２の下辺部脇側に縫着される。バック部１６は、伸縮性の布からなっており、背中において連結することによって、土台部１４の脇辺部、すなわちカップ部１２の下辺部脇側を横に引っ張る力を生じさせ、カップ部を安定させる。また、カップ部１２の上辺部脇側には、肩紐部１８が着脱部材１８ａを介して着脱自在に連結されている。肩紐部１８の他端もまた、着脱部材を介してバック部１６に連結されている。肩紐部１８は、伸縮性の布又は紐等からなっている。
【００２８】
また、カップ部１２と土台部１４との境界には、すなわち、バージスラインに沿ってカップワイヤー５０が装着されている。なお、カップワイヤー５０は必ずしも備えなくてもよい。また、カップ部１２の表側には、第１の帯状部材２０と第２の帯状部材３０が設けられている。
【００２９】
第１の帯状部材２０、第２の帯状部材３０、及び、連結部材４０には、テープや布等が用いられる。あるいは、第１の帯状部材２０、第２の帯状部材３０、及び、連結部材４０には、伸張回復性が高い素材（ＳＳ曲線傾斜が小さい素材）が用いられてもよい。また、第１の帯状部材２０、第２の帯状部材３０、及び、連結部材４０には、接着樹脂や接着テープ等が用いられてもよい。
【００３０】
第１の帯状部材２０は、カップ部１２の下辺部脇側１２Ｌｓから、バストトップＴとバージス最下点Ｂとの中間を通り、カップ部１２の下辺部前中心側１２Ｌｃに向けて延びている。ここで、バストトップＴとバージス最下点Ｂとの中間とは、バストトップＴからバージス最下点Ｂまでの間において、最下点Ｂから１／４〜３／４の位置を通ることが好ましく、更に好ましくは、バストトップＴからバージス最下点Ｂまでの１／２の位置Ｔ１／２近傍である。また、カップ部１２の下辺部前中心側１２Ｌｃは、カップ部１２の下辺部前中心側端部１２Ｌｃｔからバージス最下点Ｂまでの１／２の位置Ｂ１／２近傍と、下辺部前中心側端部１２Ｌｃｔとの間の部分であることが好ましい。
【００３１】
本実施形態では、第１の帯状部材２０の脇側端部は、カップ部１２の下辺部脇側１２Ｌｓにおける下辺部脇側端部１２Ｌｓｔ近傍に縫着されている。一方、第１の帯状部材２０の前中心側端部は、カップ部１２の下辺部前中心側１２Ｌｃにおける中間部分に縫着されている。また、第１の帯状部材２０は、脇側端部から前中心側端部にわたって全体的にカップ部１２に縫着されていてもよい。
【００３２】
第２の帯状部材３０は、カップ部１２の上辺部に沿って、下辺部前中心側端部１２Ｌｃｔから下辺部脇側端部１２Ｌｓｔまで延びている。第２の帯状部材３０は、前中心側端部から脇側端部にわたって全体的にカップ部１２に縫着されている。なお、上辺部とは、カップ部の上辺縁のみならず、上辺縁より下方であり、バストトップＴより上方の部分も含むものとする。
【００３３】
図２は、第２の帯状部材の配置位置の種々の例を示す図である。図２には、図１におけるII−II線に沿う断面構造を示している。図２（ａ）に示すように、第２の帯状部材３０は、カップ部１２の表生地１２ａ上であってカップ部１２の表側に配置される。また、第２の帯状部材３０は、図２（ｂ）に示すように、カップ部１２の表生地１２ａの上辺折り返し部分上であってカップ部１２の裏側に配置されてもよいし、図２（ｃ）に示すように、カップ部１２と表生地１２ａとの間に配置されてもよいし、図２（ｄ）に示すように、カップ部１２と表生地１２ａの上辺折り返し部分との間に配置されてもよい。
【００３４】
なお、第２の帯状部材３０として接着樹脂や接着テープが適用される場合、図２（ｃ），（ｄ）に示すように、カップ部１２と表生地１２ａとの間、又は、カップ部１２と表生地１２ａの上辺折り返し部分との間の接着樹脂や接着テープが、第２の帯状部材３０として適用されることとなる。なお、第１の帯状部材も同様に、カップ部の表生地もしくは裏生地の上、その間等に配置されても良い。
【００３５】
第１の帯状部材２０の幅は第２の帯状部材３０の幅以上であることが好ましい。例えば、カップサイズがＣ７０の場合、第２の帯状部材３０の幅が約７ｍｍであり、第１の帯状部材２０の幅が約７〜１２ｍｍであることが好ましい。また、それより大きいラージサイズの場合、第２の帯状部材３０の幅が約７〜９ｍｍであり、第１の帯状部材２０の幅が約９〜１６ｍｍであることが好ましい。これによれば、第１の帯状部材２０によるバストの造形性を適切に働かせることができる。なお、第１の帯状部材２０の幅は、上記した例以外にも様々な幅に設定することが可能であるが、バストトップＴを押さえつけない程度の幅に設定されることが望ましい。
【００３６】
連結部材４０もまた、帯状をなしており、左右の第１の帯状部材２０の前中心側を連結している。連結部材４０の中心部は、土台部１４の前中心に縫着されている。
【００３７】
この第１の実施形態のブラジャー１によれば、主に、バック部１６によるカップ部１２の下辺部脇側１２Ｌｓを横に引く力を利用して、第１の帯状部材２０によってバストの寄せ効果や押し上げ効果を高めることができ、バストの造形性を高めることができる。更に、連結部材４０によって、カップ部１２が左右に開いてしまうことを抑制することができ、第１の帯状部材２０によるバストの寄せ効果や押し上げ効果をより高めることができ、バストの造形性をより高めることができる。なお、連結部材４０の中心部は土台部１４の前中心に縫着されているので、連結部材４０の位置を安定させることができるとともに、連結部材４０が着用者の前側に浮いてしまい、アウターウェアに影響を与えてしまうことを抑制することができる。
【００３８】
また、第１の実施形態のブラジャー１によれば、第２の帯状部材３０がカップ部１２の上辺部に沿って下辺部前中心側端部１２Ｌｃｔから下辺部脇側端部１２Ｌｓｔまで延在するので、バック部１６によるカップ部１２の下辺部脇側１２Ｌｓを横に引く力を強くせずとも、通常のバック部１６によるカップ部１２の下辺部脇側１２Ｌｓを横に引く力を利用して、第２の帯状部材３０によってカップ部１２の上辺部をバスト側に沿わせることができる。例えば、第２の帯状部材３０によって、カップ部１２の上辺部の形状を保つことができるので、バック部１６によってカップ部１２の下辺部脇側１２Ｌｓを横に引いても、カップ部１２の上辺部が変形したり、つぶれてバストにくい込んだりすることなく、きれいなカーブを保ったままカップ部１２の上辺部をバストに沿わせることができる。したがって、楽な着用感を損なうことなく、バストに対するカップ部１２の上辺部の浮きを抑制することができ、更に、着用者の動きに起因して生じるカップ部１２の上辺部の浮きをも抑制することができる。
【００３９】
このように、第１の帯状部材２０によってバストを上に持ち上げ、第２の帯状部材３０によってカップ部１２の上辺部をバストに沿わせることにより、着用者の動きに影響されることなく、第１及び第２の帯状部材２０、３０によって囲まれた部分の立体形状を保つことができる。
【００４０】
このように、第１の実施形態のブラジャー１は、第１及び第２の帯状部材２０、３０ともにバック部１６によるカップ部１２の下辺部脇側１２Ｌｓを横に引く力を主に利用するので、肩紐部１８によるカップ部１２の上辺部を上に引く力が弱い１／２カップタイプのブラジャーのようにカップ部の面積が小さいブラジャーでも、カップ部の上辺部の浮きを抑制し、バストを造形することができる。
【００４１】
また、図３に示すように、肩紐部１８を取り外した、カップ部の上辺部を上に引く力がないストラップレスタイプのブラジャーに好適である。
（第１の帯状部材の変形例）
【００４２】
ところで、第１の実施形態では、第１の帯状部材２０の脇側端部をカップ部１２の下辺部脇側１２Ｌｓにおける下辺部脇側端部１２Ｌｓｔ近傍に縫着したが、図４に示すように、第１の帯状部材２０の脇側端部は、カップ部１２の下辺部脇側１２Ｌｓのうちの何れか一部分に縫着されていればよい。更に、第１の帯状部材２０の脇側端部は、上辺部脇側１２Ｕｓのうちの何れか一部分に縫着されてもよい。この場合にも、第１の帯状部材２０は、バック部１６によるカップ部１２の下辺部脇側１２Ｌｓを横に引く力を利用することができる。更に、この場合には、第１の帯状部材２０は、肩紐部１８によるカップ部１２の上辺部を上に引く力をも利用することができる。
【００４３】
また、第１の実施形態では、第１の帯状部材２０の前中心側端部をカップ部１２の下辺部前中心側１２Ｌｃにおける中間部分に縫着したが、図４に示すように、第１の帯状部材２０の前中心側端部は、カップ部１２の下辺部前中心側１２Ｌｃのうちの何れか一部分に縫着されていればよい。
［第２の実施形態］
【００４４】
図５は、本発明の第２の実施形態に係るブラジャーを示す斜視図である。このブラジャー１Ａは、ブラジャー１において第１の帯状部材２０及び連結部材４０に代えて第１の帯状部材２０Ａ、連結部材４０Ａ、固定部４２を備えている構成で第１の実施形態と異なっている。第２の実施形態のブラジャー１Ａのその他の構成は、第１の実施形態のブラジャー１と同一である。
【００４５】
第１の帯状部材２０Ａには、第１の帯状部材２０と同様の素材が適用可能である。第１の帯状部材２０Ａは、前中心側端部が、カップ部１２の前中心側において、カップ部１２の下辺部前中心側の手前の位置１２ｃまでしか延在していない点で第１の帯状部材２０と異なっている。第１の帯状部材２０Ａは、第１の帯状部材２０と同様に、脇側端部と前中心側端部とがカップ部１２に縫着されていてもよいし、脇側端部から前中心側端部にわたって全体的にカップ部１２に縫着されていてもよい。また、脇側端部が縫着され、前中心側端部まではカップから遊離させても良い。左右の第１の帯状部材２０Ａの前中心側端部は、連結部材４０Ａによって連結されている。また、左右の第１の帯状部材２０Ａと連結部材４０Ａが一体化した、一つの部材としても良い。
【００４６】
連結部材４０Ａにも、連結部材４０と同様の素材が適用可能である。連結部材４０Ａは、土台部１４の前中心に縫着されておらず、土台部１４に対して遊離しており、土台部１４の前中心に設けられた固定部４２によって、土台部１４に固定されている点で第１の実施形態と異なっている。例えば、固定部４２は、布またはテープを環状（リング状）に形成したものであり、土台部１４の前中心に縫着されている。連結部材４０Ａは、この固定部４２の孔を通ることによって、土台部１４にフレキシブルに固定されることとなる。
【００４７】
この第２の実施形態のブラジャー１Ａでも、第１の実施形態のブラジャー１と同様の利点を得ることができる。
【００４８】
更に、第２の実施形態のブラジャー１Ａによれば、連結部材４０Ａが固定部４２の孔に挿通されてフレキシブルに固定されるので、連結部材４０Ａは左右カップ間をフレキシブルに移動することができる。したがって、連結部材４０Ａの位置を安定させつつ、例えば連結部材４０Ａを単に土台部１４の前中心に縫着する場合と比較して、着用者の動きに起因して動くバストに対する連結部材４０Ａ及びカップ部１２の追従性を高めることができる。
【００４９】
例えば、着用者が上体を右に捻った場合にあっては、左カップ部１２の上辺付近でバストとの間に浮きが生じるところ、この動きに追従して連結部材４０Ａが左カップ部１２側から右カップ部１２側へ固定部４２の孔をスライドして引かれ、左側カップ部１２がバスト側に押さえつけられることにより上記浮きを抑制することとなる。
【００５０】
なお、連結部材４０Ａと固定部４２との機能を一つの部材で実現してもよい。例えば、ストラップ等に使用される長さ調節具や、前中心で結ぶリボン等の部材が考えられる。これらの例示の部材によれば、長さ調節機能を備えているので、バストの寄せ効果や押し上げ効果の度合いを調節することも可能となる。
［第３の実施形態］
【００５１】
図６は、本発明の第３の実施形態に係るブラジャーを示す斜視図である。このブラジャー１Ｂは、ブラジャー１において第１の帯状部材２０及び連結部材４０に代えて引寄部２２、固定部４２を備えている構成で第１の実施形態と異なっている。第３の実施形態のブラジャー１Ｂのその他の構成は、第１の実施形態のブラジャー１と同一である。
【００５２】
引寄部２２は、バストを前中心に向けて引き寄せるためのものである。引寄部２２の脇辺部は、カップ部１２の下辺部脇側に縫着されている。引寄部２２は、カップ部１２の下辺部脇側から前中心へ向けて、次第に幅が狭くなるように、カップ部１２の下部に沿った略三角形をなして延びている。引寄部２２は、前中心において、左右の引寄部のうちのもう一方の引寄部と縫着されている。なお、引寄部２２は、左右の引寄部を一枚布から一体的に形成するものであってもよい。引寄部２２は、カップ部１２に対して脇辺部を除いて遊離している。これにより、引寄部２２は、バストを前中心方向に引き寄せるように作用する。
【００５３】
この引寄部２２の上辺部には、第１の帯状部材２０Ｂが縫着されている。この第１の帯状部材２０Ｂも、引寄部２２と同様に、前中心において左右の第１の帯状部材のうちのもう一方の第１の帯状部材と縫着されている形態であってもよいし、左右の第１の帯状部材を一本の帯状部材から一体的に形成する形態であってもよい。また、第１の帯状部材２０Ｂも、引寄部２２と同様に、カップ部１２に対して脇側端部を除いて遊離している。
【００５４】
第１の帯状部材２０Ｂには、第１の帯状部材２０と同様の素材が適用可能である。また、第１の帯状部材２０Ｂは、第１の帯状部材２０と同様に、カップ部１２の下辺部脇側１２Ｌｓから、バストトップＴとバージス最下点Ｂとの中間を通り、カップ部１２の下辺部前中心側１２Ｌｃに向けて延在している。ここで、バストトップＴとバージス最下点Ｂとの中間とは、同様に、バストトップＴからバージス最下点Ｂまでの間において、最下点Ｂから１／４〜３／４の位置を通ることが好ましく、更に好ましくは、バストトップＴからバージス最下点Ｂまでの１／２の位置Ｔ１／２近傍である。また、第１の帯状部材２０Ｂの幅は第２の帯状部材３０の幅以上であることが好ましい。
【００５５】
引寄部２２及び第１の帯状部材２０Ｂの前中心部は、土台部１４の前中心に設けられた固定部４２によって、土台部１４に固定されている。例えば、固定部４２は、布またはテープを環状（リング状）に形成したものであり、土台部１４の前中心に縫着されている。引寄部２２及び第１の帯状部材２０Ｂの前中心部は、この固定部４２の孔を通ることによって、土台部１４にフレキシブルに固定されることとなる。
【００５６】
この第３の実施形態のブラジャー１Ｂでも、第１及び第２の帯状部材２０Ｂ，３０を備えているので、第１の実施形態のブラジャー１と同様の効果を得ることができる。
【００５７】
更に、第３の実施形態のブラジャー１Ｂによれば、引寄部２２及び第１の帯状部材２０Ｂの脇側端部以外の部分がカップ部１２に対して遊離しており、前中心側端部が固定部４２の孔に挿通されてフレキシブルに固定されるので、引寄部２２及び第１の帯状部材２０Ｂの前中心側端部は左右カップ間をフレキシブルに移動することができる。したがって、第１の実施形態のブラジャー１の連結部材４０を土台部１４に縫着する場合と同様に、引寄部２２及び第１の帯状部材２０Ｂの前中心側端部の位置を安定させつつ、第１の実施形態のブラジャー１の連結部材４０を単に土台部１４に縫着する場合と比較して、着用者の動きに起因して動くバストに対する引寄部２２及び第１の帯状部材２０Ｂ、並びにカップ部１２の追従性を高めることができる。
【００５８】
例えば、着用者が上体を右に捻った場合にあっては、左カップ部１２の上辺付近でバストとの間に浮きが生じるところ、この動きに追従して引寄部２２及び第１の帯状部材２０Ｂが左カップ部１２側から右カップ部１２側へ固定部４２の孔をスライドして引かれ、左側カップ部１２がバスト側に押さえつけられることにより上記浮きを抑制することとなる。
【００５９】
なお、上述したように、第３の実施形態に係るブラジャー１Ｂは、肩紐部１８によるカップ部１２の上辺部を上に引く力が弱い１／２カップタイプのブラジャーや、ストラップを取り外して使用する場合に好適である。
［第４の実施形態］
【００６０】
図７は、本発明の第４の実施形態に係るブラジャーを示す斜視図である。このブラジャー１Ｃは、ブラジャー１Ｂにおいて引寄部２２及び第１の帯状部材２０Ｂに代えて引寄部２２Ｃ及び第１の帯状部材２０Ｃを備えている構成で第３の実施形態と異なっている。第４の実施形態のブラジャー１Ｃのその他の構成は、第３の実施形態のブラジャー１Ｂと同一である。
【００６１】
引寄部２２Ｃは、脇辺部がカップ部１２の下辺部脇側に縫着されているのに加えて上辺部脇側もカップ部１２の上辺部脇側１２Ｕｓに縫着されている点で引寄部２２と異なっている。引寄部２２Ｃのその他の構成は引寄部２２と同様である。すなわち、引寄部２２Ｃの上辺部に縫着された第１の帯状部材２０Ｃは、カップ部１２の上辺部脇側１２Ｕｓから、バストトップＴとバージス最下点Ｂとの中間を通り、カップ部１２の下辺部前中心側１２Ｌｃに向けて延在している。ここで、バストトップＴとバージス最下点Ｂとの中間とは、同様に、バストトップＴからバージス最下点Ｂまでの間において、最下点Ｂから１／４〜３／４の位置を通ることが好ましく、更に好ましくは、バストトップＴからバージス最下点Ｂまでの１／２の位置Ｔ１／２近傍である。この第１の帯状部材２０Ｃの幅は第２の帯状部材３０の幅以上であることが好ましい。
【００６２】
この第４の実施形態のブラジャー１Ｃでも、第３の実施形態のブラジャー１Ｂと同様の利点を得ることができる。
【００６３】
なお、上述したように、第４の実施形態のブラジャー１Ｃは、ストラップを取り付けて使用する場合、又は、ストラップ固定タイプの場合に好適である。
［第５の実施形態］
【００６４】
図８は、本発明の第５の実施形態に係るブラジャーを示す斜視図である。このブラジャー１Ｄは、ブラジャー１において本体部１０及び第２の帯状部材３０に代えて本体部１０Ｄ、第２の帯状部材３０Ｄを備えている構成で第１の実施形態と異なっている。第５の実施形態のブラジャー１Ｄのその他の構成は、第１の実施形態のブラジャー１と同一である。
【００６５】
本体部１０Ｄは、肩紐部１８とカップ部１２との間に幅広肩紐部１９が縫着されている構成で本体部１０と異なっている。幅広肩紐部１９には、難伸縮性又は非伸縮性の生地が適用可能である。幅広肩紐部１９は、肩紐部１８からカップ部１２の上辺部脇側に向けて次第に幅が広くなっており、バスト上部を覆うように機能する。これより、幅広肩紐部１９と１／２カップタイプのカップ部１２とで、３／４カップタイプまたはフルカップタイプと称されることがある。このような形態では、幅広肩紐部１９の脇側縁部は、カップ部の脇辺部１２Ｓとして機能することとなる。幅広肩紐部１９には、布やレース等の生地が用いられる。
【００６６】
第２の帯状部材３０Ｄには、第２の帯状部材３０と同様の素材が適用可能である。第２の帯状部材３０Ｄは、カップ部１２の上辺部に沿って、下辺部前中心側端部１２Ｌｃｔから脇辺部１２Ｓまで延びている。
【００６７】
この第５の実施形態のブラジャー１Ｄでも、第１の実施形態のブラジャー１と同様の効果を得ることができる。
（第５の実施形態の変形例）
【００６８】
第５の実施形態のブラジャー１Ｄでは、図９、図１０に示すように、第１の帯状部材２０の脇側端部も脇辺部１２Ｓから延在していてもよい。
【００６９】
なお、本発明は上記した本実施形態に限定されることなく種々の変形が可能である。例えば、カップ部１２には、モールドタイプのものが適用可能である。この場合、図１１（ａ）に示すように、第１及び第２の帯状部材２０，３０をカップ部１２の内部に一体成型してもよい。また、図１１（ｂ），（ｃ）に示すように、カップ部１２の成型時に、カップ部１２の表側又は裏側に第１及び第２の帯状部材２０，３０の配置部位を熱成型した後、第１及び第２の帯状部材２０，３０を配置してもよい。なお、図１１（ｂ），（ｃ）では、カップ部１２、第１及び第２の帯状部材２０，３０全てを表生地１２ａによって覆っている。また、図１１（ｄ）に示すように、カップ部１２を表生地１２ａによって覆った後に、表生地１２ａの表側に第１及び第２の帯状部材２０，３０を配置してもよい。
【００７０】
図１１（ａ）によれば、カップ部の成型と第１及び第２の帯状部材の配置とを一度に行うことができ、作業効率を高めることができる。また、図１１（ａ）〜（ｃ）によれば、第１及び第２の帯状部材が表から見えないため、見栄えが良くなる。また、図（ａ）〜（ｄ）によれば、第１及び第２の帯状部材において段差ができないため、第１及び第２の帯状部材が肌にあたらず、着用感を高めることができる。
【００７１】
また、本実施形態では、略直線状の第１及び第２の帯状部材２０，３０を例示したが、第１及び第２の帯状部材としては、波状や非並行状等、様々な形態の帯状部材が適用可能である。
【００７２】
また、本実施形態では、カップ部材及び引寄部材とは別部材の第１及び第２の帯状部材２０，３０を備える形態を例示したが、本発明の第１及び第２の造形補助部は、カップ部材又は引寄部材の一部に一体的に形成されてもよい。例えば、モールド等のカップ部材の一部を強くすることによって、第１及び第２の造形補助部を形成してもよいし、引寄部材の一部を布地のパワー切替や刺繍等により強くすることで、第１及び第２の造形補助部を形成してもよい。
【００７３】
また、本実施形態では、カップワイヤー５０を備えるブラジャーを例示したが、本実施形態の特徴は、上記したように、カップワイヤーを備えないノンワイヤータイプのブラジャーにも適用可能である。
【００７４】
また、本実施形態では、土台部１４を備えるブラジャーを例示したが、本実施形態の特徴は、上記したように、土台部を備えないタイプのブラジャーにも適用可能である。
【００７５】
また、本実施形態では、バック部１６の後端をホック等で掛け留めするタイプのブラジャーを例示したが、本実施形態の特徴は、前中心において土台部１４の左右を分離してホック等で掛け留めするフロントホックタイプのブラジャーにも適用可能である。
【００７６】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【符号の説明】
【００７７】
１，１Ａ，１Ｂ，１Ｃ，１Ｄ…ブラジャー（カップ部を有する衣類）、１０，１０Ｄ…本体部、１２…カップ部、１２Ｌｃ…下辺部前中心側、１２Ｌｃｔ…下辺部前中心側端部、１２Ｌｓ…下辺部脇側、１２Ｌｓｔ…下辺部脇側端部、１２Ｓ…脇辺部、１２Ｕｓ…上辺部脇側、１２ａ…表生地、１４…土台部、１６…バック部、１８…肩紐部、１８ａ…着脱部材、１９…幅広肩紐部、２０，２０Ａ，２０Ｂ，２０Ｃ…第２の帯状部材（第１の造形補助部）、２２，２２Ｃ…引寄部、３０，３０Ｄ…第２の帯状部材（第２の造形補助部）、４０，４０Ａ…連結部材、４２…固定部、５０…カップワイヤー、Ｂ…バージス最下点、Ｔ…バストトップ。
【図１】
0006029093.tif 000002
【図２】
0006029093.tif 000003
【図３】
0006029093.tif 000004
【図４】
0006029093.tif 000005
【図５】
0006029093.tif 000006
【図６】
0006029093.tif 000007
【図７】
0006029093.tif 000008
【図８】
0006029093.tif 000009
【図９】
0006029093.tif 000010
【図１０】
0006029093.tif 000011
【図１１】
0006029093.tif 000012